(57)【要約】【課題】吊り環が取り付け用ベルトによりその審美性が損なわれることのない吊り具を提供すると共に、装飾要素のある吊り具を提供する。【解決手段】  吊り持物を係合させるため環状の吊り部２と、この吊り部２の両側上端に連結している門型の支持枠３とを一体成型してなっている吊り具１。支持枠３は横杆３ａと、その両端から下方に延びる縦杆３ｂからなり、支持枠に取り付け用ベルトを巻装したとき、吊り部の全体形状は外見することができる。また吊り部２と支持枠の連結部には段４が形成されていて、吊り部は支持枠と縁切りされているので、吊り部の形状が明白に表れている。【選択図】  図１
2008067942.tif 000002
【特許請求の範囲】
【請求項１】
装飾性を有する環状の吊り部と、その吊り部に結合される門型の支持枠からなる吊り具。
【請求項２】
前記吊り部の表面に装飾部材を施している請求項１記載の吊り具。
【請求項３】
前記吊り部に少なくとも２個の吊り持用の係合部を形成している請求項１記載の吊り具。
【請求項４】
前記支持枠に吊りベルトが巻装されている請求項１記載の吊り具。
【請求項５】
前記吊りベルトの両側を着脱自在とする請求項４記載の吊り具。
【発明の詳細な説明】
【技術分野】
【０００１】
本発明は鍵、定期入れなどの小物を吊るすための吊り具に関する。
【背景技術】
【０００２】
かばんの内側や外側に小物を吊るすための吊り具としては、英字Ｄの形状を形成したいわゆるＤ環が使用されているのを多見する。このＤ環は、伏倒した状態、すなわち直線状の杆を水平にして、円弧状の部分を下向きにした状態で使用されるが、その横杆に吊り用ベルトを巻装して装着対象物に鋲着し、円弧状の部分に紐などで小物を吊り持させる。そのため、Ｄ環の横杆は吊り用ベルトで隠されて、Ｄというデザインの審美性が消去されてしまっている。つまりＤ環は吊り部の一部を吊り用ベルトの取り付け部にしているため、そのベルトによって横杆の一部が隠され、Ｄの原形が外見できなくなっている。
【発明の開示】
【発明が解決しようとする課題】
【０００３】
本発明は、従来の問題点を解消するもので、特に審美性のある吊り具を提供すると共に、装飾要素のある吊り具を提供することを課題にしている。
【課題を解決するための手段】
【０００４】
本発明の吊り具（請求項１）は、装飾性を有する環状の吊り部と、その吊り部に結合される門型の支持枠からなることを特徴としている。
【０００５】
このような吊り具では、吊り部の表面に装飾部材を施しているのが好ましい（請求項２）。
【０００６】
また、吊り部は、少なくとも２個の吊り持用の係合部を形成しているのが好ましい（請求項３）。
【０００７】
前記支持枠には、吊りベルトが巻装されているのが好ましい（請求項４）。
【０００８】
このような吊りベルトは、その両側が着脱自在になっているのが特に好ましい(請求項５)。
【発明の効果】
【０００９】
本発明の吊り具（請求項１）は、吊り部と支持枠が一体になっているが、それぞれの作用が明確に分かれている。つまり支持枠に通した吊り用ベルトなどによって吊り具を装着対象物に取り付けると共に、環状の吊り部に小物を吊り下げることができる。したがって吊り部には吊り具を取り付けるための用具は一切、係合しないので、部分的に隠されることはなく、全体を丸ごと外見することができる。またその装飾性のイメージは保持される。
【００１０】
このような吊り部の表面に装飾部材を施している場合（請求項２）、吊り具の装飾性は一層、レベルアップして、高級感を増す。また吊り具自体でアクセサリーの外観を呈する。
【００１１】
また、吊り部に少なくとも２個以上の吊り持物の係合部を形成している場合（請求項３）、２個以上の吊り持物は吊り部の１個所に集中しないので、煩雑にならない。したがって吊り部の装飾性は損なわれない。
【００１２】
前記支持枠が吊り用ベルトに巻装されている場合（請求項４）、門型の支持枠はベルトによって横杆が覆い隠される。したがって支持枠は外見される部分が減少するので、吊り部の装飾性は一層、顕著になる。
【００１３】
このような吊り用ベルトの両側が着脱自在になっている場合(請求項５)、吊り具は吊り用ベルトより取り外すことが可能である。したがって吊りベルトに装飾性が異なる種々の吊り具を自由に交換して巻装することができる。延いては吊り具の取り付け対象物に合わせて、吊り具を自由に交換することができる。
【発明を実施するための最良の形態】
【００１４】
次に図面を参照しながら本発明の実施形態を説明する。図１は本発明の吊り具の一実施形態を示す斜視図、図２ａおよび図２ｂはそれぞれ図１の側面図および側断面図、図３はその吊り具の取り付け状態を示す斜視図、図４ａおよび図４ｂは他の取り付け状態を示す斜視図、図５は本発明の吊り具の他の実施形態を示す斜視図、図６は図５の吊り具の吊持状態を示す説明図、図７は本発明の吊り具のさらに他の実施形態を示す斜視図、図８は本発明の吊り具のさらに他の実施形態を示す斜視図である。
【００１５】
図１に示す吊り具１は、吊り持物を係合させるため環状の吊り部２と、この吊り部２の両側上端に連結している門型の支持枠３とを一体成型してなっている。以下に詳細に説明する。
【００１６】
図１に示すように、吊り部２はハート形の枠に形成されており、それ相当の厚味を有している。また支持枠３は横杆３ａと、その両端から下方に延びる縦杆３ｂとによって門型を形成しており、吊り部２の厚味よりも若干、肉薄の厚味を有している。縦杆３ａは吊り部２の両側の上端に連結しているが、図１および図２ａ、図２ｂに示すように、両者の厚味の差は連結部の表面に段４となって表れる。また裏面は面一になっている。したがって吊り部２は支持枠３にベルトなどが連結されていても、ハート形のアウトラインが途切れることなく、明確に表現される。また吊り部２のハート形が支持枠３によって歪曲されて、ハート形の形状が喪失されることはない。つまり吊り部２は支持枠３とは連結してはいるが、連結部の段形成によって支持枠３とは縁切りしているので、吊り部２のハート形の装飾性は保持される。また支持枠３あるいは縦杆３ｂが吊り部２の形状を統一的に認識するのに何ら邪魔されるものでないことも明白である。支持枠３は吊り部２を支持作用する機能的な部材であることは外見上からも容易に認識される。
横杆３ａの長さは、吊り部２の幅や吊り用ベルトの幅に応じて定めている。縦杆３ｂの長さは、図２ｂに示すように、横杆３ａと吊り部２の上端の間に適切な幅の隙間Ｍが確保される範囲、すなわち吊り用ベルトが挿入できる範囲になっている。縦杆３ｂは若干、長くてもよいが、できるだけ短い方が好ましい。つまり縦杆３ｂは必要最小限の長さにすることによって、外出量を少なくすることができるので、好ましい。
【００１７】
この吊り具１の装着対象物への取り付け方法は、図３に示すように横杆３ａに、座金５ａをその内側に設けた吊り用ベルト５を巻装して、その両端同士を重ね合わせ、装着対象物Ｔに固着する。しかして、吊り具１は吊持される。固着方法としては、図示のように鋲着６してもよいし、また糸で縫着してもよい。吊り用ベルト５の幅は横杆３ａとほぼ同じ幅であるので、横杆３ａは不外見となる。しかし若干、幅狭であってもよい。しかして、吊り具１は安定した状態で吊り持される。また吊り具１は縦杆３ｂが外出するが、吊り部２とは縁切りされているので、縦杆３ｂが吊り部２の装飾性を損なうことはない。また吊り部２は外出量が縦杆３ｂよりも大きく、かつ縦杆３ｂよりも前面に突出し、さらに装飾性のあるハート形に形成されているため、外見上、目に止まり易く、また縦杆３ｂは目に留まり難い。したがって吊り具は、吊り部のハート形が全面的に外見されるので、縦杆が外出していても煩雑さはない。なお、吊り用ベルト５の座金５ａはなくてもよいが、座金５ａを設けている方が頑丈である。
【００１８】
また支持枠３は吊り部２の上端に位置しているが、一つの環状になっているので、吊り用ベルト５は支持枠３に留まり、吊り部２に移動することはない。したがって吊り部２は吊り用ベルト５によって隠され、ハート形が認識できなくなることはない。明らかなように吊り部２は常時、美しく、正しい姿のハート形を保持した状態で吊持される。したがって吊り部２に吊持物を吊持しない場合、この吊り具１はアクセサリーとして、極めて有効に作用する。また従来の吊り具のように薄肉、かつ偏平であってもよいが、立体的にする方が存在感および高級感があるので好ましい。したがって吊り具を取り付けた装着対象物は吊り具によってイメージアップさせることができる。
【００１９】
吊り用ベルト５の鋲着方法としては、図３に示す方法のほか、図４ａに示すように装着対象物Ｔに一部切れ込み１０を設けて、図３と同じように座金付きのベルト５の上方をその切れ込み１０に挿入して、装着対象物Ｔに固着してもよい。この場合、吊り用ベルト５は上方が不外見になるので、煩雑さがなく、吊り部２のハート形は、一層、見栄えがよくなる。また図４ｂに示すように吊り用ベルト５の一端を装着対象物に固着１１し、あるいはホックの雌部１２ａを取り付け、他端の内側にホックの雄部１２ｂを設けて着脱自在にしてもよい。この場合、吊り具１は吊り用ベルト５のホックの雌部１２ａ、雄部１２ｂを外すことによって支持枠３をベルト５より取り出すことができるので、別の異なるデザインの吊り具に交換することができる。しかして装着対象物Ｔは異なったデザインの吊り具を自由に装着することができる。
【００２０】
この吊り部３は図３に示すように太目の枠になっているので、紐などの吊持物など色々な形状のものを吊持することができる。例えばなす環などのような太目の吊持物も吊持することができる。また吊り部２の内側の中央下方は丸みをもった湾曲ではなく、略Ｖ字状に屈曲状態に形成されているので、吊り持物の係合部１３として作用する。したがって係合部に吊持された吊り持物Ｏは激しい揺動は防止されるので、吊持物Ｏは安定した吊持状態を得る。吊り部２は吊持物Ｏによってハート形の枠の一部が寸断されるが、全体的なハート形のイメージは十分、保持される。明らかなように、この吊り具は装飾具に兼用することができる。
【００２１】
図５は、本発明の吊り具の他の実施形態で、吊り部２が星形の枠に形成されている。この吊り部２の場合も前記同様、肉厚になっている。また支持枠３も前記支持枠と同じ形状で、また肉厚になっている。また支持枠３と吊り部２の連結部の表面側は段４が形成されているので、吊り部２は星形のアウトラインが明白に表われている。吊り具を装着対象物に吊持させる場合、前記実施形態と同じように、支持枠３の内幅とほぼ同じ幅の吊り用ベルト５を支持枠３の横杆３ａに巻装して、装着対象物に固着する。横杆３ａは不外見状態になるので、吊り部２の星形は一層、はっきりと外見される。このように吊り具１は装飾性のある星形が明確に外見されるので、吊り具に吊持物を係合していない状態では、アクセサリーとして、極めて有効に作用する。
【００２２】
また図６に示すように、吊り部２の内側の下方に２個の凹所が形成されており、吊持物を吊るすための係合部１３として使用することが可能になっている。したがって、２個の吊持物Ｏを吊持する場合、左右に分けて吊持することができる。また、この吊り具１の場合も吊持物Ｏによって星形の枠は一部分が寸断されるが、星形の全体的な形状および印象は保持される。この吊り具についても、装飾具に兼用することができる。
【００２３】
図７は本発明の吊り具の他の実施形態で、装飾部材２０が吊り部２の表面に施されている。装飾物２０としては、図示のライトストーンなどの立体的な装飾物を設けることによって、その吊り部の厚味が増すので、装飾作用が一層、強化される。したがって、吊り部２の厚味は支持枠３のそれとは歴然と差が出てくる。また装飾物を有する吊り部とそうでない支持枠３とでは、吊り部２の星形の形状が一層、浮き出てくるので、支持枠３の存在は一層、目に止まり難くなり、また吊り部２に目が止まり易くなる。吊り部２が豪華な外観を呈するので、ますます、高級感のあるアクセサリーとしての存在感が色濃くなる。なお上記装飾物としてはその他に、吊り部の表面に陶磁器を嵌め込んだりしてもよい。
【００２４】
なお、吊り部の形状は図示するものに留まらない。枠の形をしている装飾性のあるものであれば、吊り具と装飾具として兼用することができる。例えば猫や犬などの動物や、花などの植物、水棲動物などの輪郭を枠状に形成してもよい。さらに望ましくは枠の内側に吊持物を吊るすための凹部、とくにＶ字状の凹部を係合部として設けているものがよい。しかしなくてもよい。
【００２５】
図８はその他の吊り具の実施形態を示している。この吊り具１の吊り部２はこれまでの枠形態ではなく、柔軟な細い線材が貫通可能な小さめの穴３０が形成されている。吊り部２は肉厚であり、またその両側の上端にはこれまでの実施形態と同じようにこれよりは肉薄の支持枠３が連結されている。そして一体形成されている。この場合も前述の実施形態同様、装着対象物へ取り付けて使用する。この吊り具はこれまでの実施形態の外観が枠に形成されているのとは異なり、小さな貫通孔が形成されているだけなので、装飾具としてのイメージに形成されている。しかし吊り具としても使用できる。
【図面の簡単な説明】
【００２６】
【図１】図１は本発明の吊り具の一実施形態を示す斜視図である。
【図２】図２ａは図１の側面図、図２ｂは側断面図である。
【図３】図３は吊り具の取り付け状態を示す斜視図である。
【図４】図４ａおよび図４ｂは他の取り付け状態を示す説明図である。
【図５】図５は本発明の吊り具の他の実施形態を示す斜視図である。
【図６】図６は図５の吊り具の吊り持状態を示す説明図である。
【図７】図７は本発明の吊り具の他の実施形態を示す斜視図である。
【図８】図８は本発明の吊り具の他の実施形態を示す斜視図である。
【符号の説明】
【００２７】
１  吊り具
２  吊り部
３  支持枠
３ａ  横杆
３ｂ  縦杆
４  段
５  吊り用ベルト
６  鋲
１０  切れ込み
１１  縫合
１２ａ  雌ホック
１２ｂ  雄ホック
１３  係合部
２０  装飾部材
３０  貫通孔
Ｍ  隙間
Ｏ  吊持物
Ｔ  装着対象物
【図１】
2008067942.tif 000003
【図２】
2008067942.tif 000004
【図３】
2008067942.tif 000005
【図４】
2008067942.tif 000006
【図５】
2008067942.tif 000007
【図６】
2008067942.tif 000008
【図７】
2008067942.tif 000009
【図８】
2008067942.tif 000010